(57)【要約】【課題】充電ケーブルを充電ケーブル支持具に巻き付けて保持させる際、充電ケーブルの巻き付け位置を、ユーザが必要に応じて選択することができる充電ケーブル保持構造を提供すること。【解決手段】充電ケーブル５を充電ケーブル支持具２に巻き付けて保持させる充電ケーブル保持構造において、該充電ケーブル支持具２が、背面板６と、該背面板の上端から前方に延設させた上側壁７と、該背面板６の左右側端から、各々、前方に延設させた左側壁８と右側壁９を有する構造とし、前記上側壁７、および、左側壁８と右側壁９を、前記充電ケーブル５の巻き付け作業時に充電ケーブル５を当接させて巻き付け位置にガイドするガイド部とするとともに、上側壁７、および、左側壁８と右側壁９で囲まれた内部空間２２を形成し、充電ケーブル５を収納可能とした。【選択図】図１
2015211483.tif 000002
【特許請求の範囲】
【請求項１】
充電ケーブルを充電ケーブル支持具に巻き付けて保持させる充電ケーブル保持構造であって、
該充電ケーブル支持具が、
背面板と、該背面板の上端から前方に延設させた上側壁と、該背面板の左右側端から、各々、前方に延設させた左側壁と右側壁を有し、
前記上側壁、および、左側壁と右側壁を、前記充電ケーブルの巻き付け作業時に充電ケーブルを当接させて巻き付け位置にガイドするガイド部とするとともに、
前記上側壁、および、左側壁と右側壁で囲まれた内部空間を形成し、充電ケーブルを収納可能としたことを特徴とする充電ケーブル保持構造。
【請求項２】
該背面板の下端から前方に延設させた下側壁を有することを特徴とする請求項１記載の充電ケーブル保持構造。
【請求項３】
前記左側壁と右側壁を、
各々、上側壁の左右両端位置より外側に設け、
上側壁と左側壁、および、上側壁と右側壁との間に切欠空間を形成したことを特徴とする請求項１または２記載の充電ケーブル保持構造。
【請求項４】
前記左側壁の前端から、左方向に延設させた突出部と右方向に延設させた突出部を設け、
前記右側壁の前端から、左方向に延設させた突出部と右方向に延設させた突出部を設けたことを特徴とする請求項１記載の充電ケーブル保持構造。
【発明の詳細な説明】
【技術分野】
【０００１】
本発明は、充電ケーブル保持構造に関するものである。
【背景技術】
【０００２】
電気自動車やプラグインハイブリッドカーの充電は、充電装置とこれらの車両を充電ケーブルで接続して行われる。
【０００３】
充電ケーブルを、充電装置に保持させておく構造として、充電装置の筐体内で上下２カ所に充電ケーブル支持具を配置し、この上下の充電ケーブル支持具の外周側に充電ケーブルを巻き付ける構造（特許文献１、２）や、充電ケーブル支持具の外周側に巻き付けた充電ケーブルの外周側に、充電ケーブル保持用のケーブルガードを設け、ケーブルガードで囲まれた空間内に充電ケーブルを保持する構造（特許文献２）が開示されている。
【０００４】
しかし、上記の従来技術では、充電ケーブルの巻き付け位置が所定箇所に固定されており、例えば、長尺の充電ケーブルの内、充電コネクタの近傍にあって頻繁に引き出して使用される先端側部分と、車両側の給電口と充電装置との距離が離れている場合に引き出して使用される末端側部分とを区分しておきたい等の、各ユーザの要望に柔軟に対応できないという問題があった。
【先行技術文献】
【特許文献】
【０００５】
【特許文献１】特開２０１２−２１００７２号公報
【特許文献２】特開２０１２−１９６１０号公報
【発明の概要】
【発明が解決しようとする課題】
【０００６】
本発明の目的は前記の問題を解決し、充電ケーブルを充電ケーブル支持具に巻き付けて保持させる際、充電ケーブルの巻き付け位置を、ユーザが必要に応じて選択することができる充電ケーブル保持構造を提供することである。
【課題を解決するための手段】
【０００７】
上記課題を解決するためになされた請求項１記載の発明は、充電ケーブルを充電ケーブル支持具に巻き付けて保持させる充電ケーブル保持構造であって、該充電ケーブル支持具が、背面板と、該背面板の上端から前方に延設させた上側壁と、該背面板の左右側端から、各々、前方に延設させた左側壁と右側壁を有し、前記上側壁、および、左側壁と右側壁を、前記充電ケーブルの巻き付け作業時に充電ケーブルを当接させて巻き付け位置にガイドするガイド部とするとともに、前記上側壁、および、左側壁と右側壁で囲まれた内部空間を形成し、充電ケーブルを収納可能としたことを特徴とするものである。
【０００８】
請求項２記載の発明は、請求項１記載の充電ケーブル保持構造において、該背面板の下端から前方に延設させた下側壁を有することを特徴とするものである。
【０００９】
請求項３記載の発明は、請求項１または２記載の充電ケーブル保持構造において、前記左側壁と右側壁を、各々、上側壁の左右両端位置より外側に設け上側壁と左側壁、および、上側壁と右側壁との間に切欠空間を形成したことを特徴とするものである。
【００１０】
請求項４記載の発明は、請求項１記載の充電ケーブル保持構造において、前記左側壁の前端から、左方向に延設させた突出部と右方向に延設させた突出部を設け、前記右側壁の前端から、左方向に延設させた突出部と右方向に延設させた突出部を設けたことを特徴とするものである。
【発明の効果】
【００１１】
請求項１記載の充電ケーブル保持構造では、充電ケーブルを充電ケーブル支持具に巻き付けて保持させる充電ケーブル保持構造において、該充電ケーブル支持具が、背面板と、該背面板の上端から前方に延設させた上側壁と、該背面板の左右側端から、各々、前方に延設させた左側壁と右側壁を有する構造とし、前記上側壁、および、左側壁と右側壁を、前記充電ケーブルの巻き付け作業時に充電ケーブルを当接させて巻き付け位置にガイドするガイド部とするとともに、前記上側壁、および、左側壁と右側壁で囲まれた内部空間を形成し、充電ケーブルを収納可能としているため、充電ケーブルを充電ケーブル支持具に巻き付けて保持させる際、充電ケーブルの巻き付け位置を、ユーザが必要に応じて選択することができる。具体的には、充電ケーブル支持具に充電ケーブルを巻き取る際、巻き取った充電ケーブルを前記上側壁と左側壁と右側壁の内側に形成される空間に保持する場合には、上側壁の上面と左側壁の右面と右側壁の左面に充電ケーブルを沿わせてガイドさせながら巻き取り作業を行うことができる。また、巻き取った充電ケーブルを前記上側壁と左側壁と右側壁の外側に形成される空間に保持する場合には、上側壁の上面と左側壁の左面と右側壁の右面に充電ケーブルを沿わせてガイドさせながら巻き取り作業を行うことができる。
【００１２】
請求項２記載の発明のように、更に、背面板の下端から前方に延設させた下側壁を有する構造とすることにより、巻き取った充電ケーブルを前記左側壁と右側壁の内側に形成される空間に保持する場合に、上側壁の下面と下側壁の上面、左側壁の右面と右側壁の左面に当接して充電ケーブルの広がりを防止し、該空間内で充電ケーブルを保持することができ、巻き取った充電ケーブルを安定して保持することができる。
【００１３】
請求項３記載の発明のように、左側壁と右側壁を、各々、上側壁の左右両端位置より外側に設け、上側壁と左側壁、および、上側壁と右側壁との間に切欠空間を形成する構造とすることにより、充電ケーブルが充電ケーブル支持具に巻き付けられた状態において、充電ケーブルの曲げを小さくして巻き付けることや切欠空間を充電ケーブルが通過可能とするので、充電ケーブルをコンパクトに収納することが可能である。
【００１４】
請求項４記載の発明のように、左側壁の前端から、左方向に延設させた突出部と右方向に延設させた突出部と、前記右側壁の前端から、左方向に延設させた突出部と右方向に延設させた突出部を設ける構造とすることにより、充電ケーブル支持具に巻き付けられた充電ケーブルが、前方方向から脱落することを防止することができる。
【図面の簡単な説明】
【００１５】
【図１】本発明の充電ケーブル保持構造を有した充電装置の全体斜視図である。
【図２】充電ケーブル支持具の前面側斜視図である。
【図３】充電ケーブル支持具の背面側斜視図である。
【図４】上側壁の背面側斜視図である。
【図５】充電ケーブルを巻き付けた状態を示す上側壁の背面側斜視図である。
【図６】第１の実施形態における充電ケーブル保持構造の説明図である。
【図７】第２の実施形態における充電ケーブル保持構造の説明図である。
【図８】第３の実施形態における充電ケーブル保持構造の説明図である。
【図９】第４の実施形態における充電ケーブル保持構造の説明図である。
【発明を実施するための形態】
【００１６】
以下に本発明の好ましい実施形態を示す。
【００１７】
本発明の充電ケーブル保持構造は、図１に示すように、充電装置１の下方に配置された充電ケーブル支持具２に、非充電時の充電ケーブル５や使用時の充電ケーブル５の余長部分を巻き付けて保持させるための構造に関するものである。
【００１８】
本実施形態の充電装置１は、筺体３内部に、コンセントユニットや充電ケーブルの先端に設けた充電コネクタを非充電時に収容する充電コネクタ収納部等を備え、筐体３は支持台４に固定して立設されている。
【００１９】
本実施形態では、充電ケーブル支持具２は、板金加工された板材から構成され、充電ケーブル支持具２に取り付けて固定されている。他の実施形態として、充電ケーブル支持具２を樹脂部材等、他の素材で構成することもできる。また、本実施形態においては筐体３の下方位置に設置されているが、筐体３内に充電ケーブル支持具２を形成しておくことや、充電ケーブル支持具２は独立した自立部材に構成したり、他の壁面（例えば、隣接する家屋等の壁面）に固定した構造とすることもできる。
【００２０】
本実施形態の充電ケーブル支持具２は、図２、３に示すように、背面板６と、背面板６の上端から前方に延設させた上側壁７と、上側壁７より下方位置で、背面板６の左右側端から、各々、前方に延設させた左側壁８と右側壁９と、背面板６の下端から前方に延設させた下側壁１０を有している。本実施形態では、上側壁７と左側壁８と右側壁９と下側壁１０は、全て、背面板６を折り曲げて形成しているが、他の実施形態として、各壁を構成する板材を、背面板６に溶接する構造とすることもできる。このような上側壁７、左側壁８、右側壁９、下側壁１０を、充電ケーブル５を当接させて巻き付け位置にガイドするガイド部として選択自在に利用可能としている。
【００２１】
図４に示すように、上側壁７は、上側壁７の前方端部から上方に延設させた上側壁突出片１１と、上側壁７の左右側端部を上方に折り曲げた折曲片１２と、折曲片１２の上端部を上側壁７の中央側に向けて傾斜させた傾斜辺１３を有している。上側壁７の上面側に充電ケーブル５の巻き付けを行う場合、巻き付けられた充電ケーブル５は、図５、６、７に示すように、傾斜辺１３によって保持されている。これらの実施形態において、上側壁突出片１１は、充電ケーブル５がその保持位置から前方への落下することを防止する機能を果たしている。そして、折曲片１２や傾斜片１３は上側壁７の補強部材となることは勿論のこと、充電ケーブル５を傾斜片１３に保持させることが可能で、上側壁７の上面より浮かせた位置に形成しているため、充電ケーブル５と上側壁７の間に指を差込むスペースが生じ、充電ケーブル５を充電ケーブル支持具２より取外しを容易としている。
【００２２】
図２に示すように、下側壁１０は、下側壁１０の前方端部から下側突出片２４を備えている。下側突出片２４は下側壁１０の前方端部から上方に延設した第１の下側壁突出片１９と、下側壁１０の前方端部から下方に延設させた第２の下側壁突出片２３とからなる。また、下側壁１０の左右側端部を下方に折り曲げた折曲片２０と、折曲片２０の下端部を下側壁１０の中央側に向けて傾斜させた傾斜辺２１を有している。上側壁７と左側壁８と右側壁９と下側壁１０で囲まれた空間（以下、中央空間２２という）内で充電ケーブル５を収納可能で、図８に示すように、巻き付けられた充電ケーブル５の下端部は下側壁１０で保持される。このように、充電ケーブル支持具２に充電ケーブル５を巻き取る際、充電ケーブル５を上側壁７と、左側壁８と右側壁９の内側に形成される内部空間２２に収納可能で、また、充電ケーブル５を上側壁７と、左側壁８と右側壁９の外側に充電ケーブル５を沿わせてガイドさせながら巻き取り作業を行うことができる。よって、上側壁７、および、左側壁８と右側壁９をガイド部として使用して、充電ケーブル５の巻き付け位置を、ユーザが必要に応じて選択することができるものである。
【００２３】
図２に示すように、左側壁８は、その前端を左方向に延設させた第１突出部１４と右方向に延設させた第２突出部１５を、交互に備え、右側壁９は、その前端を左方向に延設させた第３突出部１６と右方向に延設させた第４突出部１７を、交互に備えている。なお、本実施形態では、各突出部を、各壁の前端から延設させて形成しているが、他の実施形態として、各側壁の中央付近からさせて形成することもでき、また各側壁の前端に形成した各突出部を１つずつ形成することもできる。この構成により、充電ケーブル支持具２に巻きつけられた充電ケーブル５が、下側突出片２４や各突出部により前方方向から脱落することを防止するものである。
【００２４】
図２、３に示すように、左側壁８と右側壁９を、各々、上側壁７より下方位置で、下側壁１０より上方位置、かつ、上側壁７および下側壁１０の左右両端位置より外側に設ける。つまり、上側壁７と左側壁８、および、上側壁７と右側壁９、および、下側壁１０と左側壁８、および、下側壁１０と右側壁９との間に、切欠空間１８を形成するように各側壁が形成している。各側壁の外面に沿って巻き付ける場合でも、充電ケーブル５の曲げを小さくしつつ充電ケーブル支持具２に巻き付けることが可能となるので充電ケーブル５をコンパクトに収納可能となり、また、上側壁７及び下側壁１０の左右両端位置と左側壁８及び右側壁９間の切欠空間１８より充電ケーブル５を通過させ、充電ケーブル５を左側壁８及び右側壁９の内面にガイドさせ、コンパクトに収納可能としている。
【００２５】
上記のような構成により、充電ケーブル５を充電ケーブル支持具２に巻き付けて保持させる際、充電ケーブル５の巻き付け位置を、ユーザが必要に応じて選択することができる。以下に充電ケーブル５の巻き付け例について説明するものである。
【００２６】
具体的には、例えば、図６に示すように、上側壁７の上面と左側壁８の左面と右側壁９の右面に充電ケーブル５を沿わせてガイドさせながら、充電ケーブル支持具２の外周に巻き取り作業を行ったり、図７に示すように、上側壁７の上面に沿わせるようにガイドした充電ケーブル５を切欠空間１８から、中央空間２２に導き、左側壁８の右面と右側壁９の左面に充電ケーブル５を沿わせてガイドさせながら巻き取り作業を行ったり、図８に示すように、上側壁７の下面と左側壁８の右面と右側壁９の左面と下側壁１０の上面に充電ケーブル５を沿わせてガイドさせながら、充電ケーブル支持具２の内部空間２２に収納したり、図９に示すように、充電ケーブル支持具２の内部空間２２および外面の両方を用いて巻き取り作業を行うことができる。
【００２７】
図６に示す実施形態の場合、第１突出部１４と第４突出部１７と、上側突出片１１及び第２の下側壁突出片２３が、充電ケーブル５がその保持位置から前方へ落下することを防止する機能を果している。
【００２８】
図７に示す実施形態の場合、第２突出部１５と第３突出部１６が、充電ケーブル５がその保持位置から前方への落下することを防止する機能を果たすとともに、巻き取った充電ケーブル５が左右方向に拡がることを防止する機能を果たしている。
【００２９】
図８に示す実施形態の場合、第１の下側壁突出片１９と第２突出部１５と第３突出部１６が、充電ケーブル５がその保持位置から前方への落下することを防止する機能を果たすとともに、各側壁により充電ケーブル５が左右方向及び上下方向に拡がることを防止する機能を果たしている。
【００３０】
図９に示す実施形態の場合、充電ケーブル５が長い場合においては、通常取り外して使用しない長さの充電ケーブル５を充電ケーブル支持具２の中央空間２２に収納しておき、通常取り外して使用する長さの充電ケーブル５は充電ケーブル支持具２の外面に沿って巻きつけるようにすることが可能である。場合によっては中央空間２２に収納した充電ケーブル５を取り出して、充電ケーブル５の引き出し長さを調整することが可能である。
【符号の説明】
【００３１】
１  充電装置
２  充電ケーブル支持具
３  筺体
４  支持台
５  充電ケーブル
６  背面板
７  上側壁
８  左側壁
９  右側壁
１０  下側壁
１１  上側壁突出片
１２  折曲片
１３  傾斜辺
１４  第１突出部
１５  第２突出部
１６  第３突出部
１７  第４突出部
１８  切欠空間
１９  第１の下側壁突出片
２０  折曲片
２１  傾斜辺
２２  中央空間
２３  第２の下側壁突出片
２４  下側突出片
【図１】
2015211483.tif 000003
【図２】
2015211483.tif 000004
【図３】
2015211483.tif 000005
【図４】
2015211483.tif 000006
【図５】
2015211483.tif 000007
【図６】
2015211483.tif 000008
【図７】
2015211483.tif 000009
【図８】
2015211483.tif 000010
【図９】
2015211483.tif 000011